(57)【要約】【課題】この発明は竿の先端部の中へ形状記憶合金を入れ込む事で、これまで竿が折れたり網で捕えそこねた事を少なくする事で釣人たちへ、今までに無い釣りへの期待と醍醐味を提供する事を課題とします。【解決手段】  本発明は形状記憶合金を活用し、釣り竿の先端部分へ塗混ぜたり又は埋込む事で竿の強度が増す事で、竿に余計な負担が掛かりにくく、竿が本来の役割を専念する事が可能と成ります。竿の中心が中空の場合、竿の中へ釣り糸を入れ込む事が可能。この場合も釣り糸が中空の内側へ施した形状記憶合金により、潤滑剤の役割を果たしてくれる為に糸と形状記憶合金との間の摩擦が軽減され、釣り糸に無理な力が掛かかりにくくする手段です。【選択図】    図１
2006042762.tif 000002
【特許請求の範囲】
【請求項１】
図１の側面１釣り竿の先端部が例えばカーボンロッド製で、図１の側面２内部がむくの場合図２−５棒状の形状記憶合金又は、図２−６折曲状の形状記憶合金を、図１の側面２の様にカーボンロッドの中心位置へ１組みないし複数組み埋込み、又は、図１の側面３の様にカーボンロッドが中空の場合は、図２−５棒状の形状記憶合金又は、図２−６折曲状の形状記憶合金を、１組ないし複数組み中空の内側へ塗混ぜたり、埋込む事で機械的に強度を増す事が可能となります。
【請求項２】
図１の側面１釣り竿の先端部が例えばカーボンロッド製で、図１の側面２内部がむくの場合は形状記憶合金を埋込む事で、釣り竿の機械的な強度と魚が釣れた時に魚信感度を低下させず、釣り上げた時の竿が真上へ上げた際、従来は魚の動きが妙に変化。網を定める事が困難でした。本発明により竿の先端部の動きに落ち着きが現れ、魚を網で容易にすくう事ができます。
【請求項３】
図１の側面１釣り竿の先端部が例えばカーボンロッド製で、図１の側面３内部が中空の場合は形状記憶合金を塗混ぜたり又は、埋込む事で釣り糸のすべりがスムーズと成り、糸の寿命を延ばす事が可能になります。又、糸に無駄な力が加わる事が少なく結果的に竿へ余分な負荷が加わらなく竿の寿命を延ばす事が出来ます。
【発明の詳細な説明】
【技術分野】
【０００１】本発明は、今までの釣り竿と比べ釣り竿の形状を特別に変化する事も無く、スタイルなどの静観さを維持し、機械的な強度の向上を図る事が出来ます。
【背景技術】
【０００２】従来と異なる点は、魚をすくう際に余計な力や技術を掛けず網のセッティングフォームを短時間で予測でき、魚に対してその分の疲労が少なく釣り上げられます。釣り人に対してその分活きの良い魚を捕る事が可能と成ります。【０００３】図１の側面３内部が中空の場合、釣り糸へカーボンロッドの中で形状記憶合金が潤滑剤の役割をする事で、釣り糸が無駄な力を受けずスムーズな動きが可能と成ります。
【特許文献１】特開２００２−０４５０９２
同じ釣り竿の事ですが、竿の手元側の握り部分の強度向上を図った特許です。【特許文献２】特開２００２−２５３０９６
釣り竿と釣り竿を幾段も重ねた時の固定の度合いと強度を高めた特許です。【特許文献３】特開２００２−０４５０９１
釣り竿のトップカバーの機械的な強度などを高める為の特許です。【特許文献４】特開平０８−０３７９９８
釣り竿の強度の事を書いて有りますが、当方の発明は釣り糸と竿との間に潤滑剤的な働きによるスムーズさを向上する為の発明ですので内容が根本的に異なります。
【発明の開示】
【発明が解決しようとする課題】
【０００４】これまでの釣り竿は、竿の先端部は出来る限りしなやかさを追求して来ました。しかしこのしなやかさに為に、竿の先端部は魚の複雑な動きの対応に困難が生じ、時には竿が折れたり、網で魚を捕らえそこなう事がしばし発生。この発明は竿の先端部の中へ形状記憶合金を入れ込む事で、これまで竿が折れたり網で捕えそこねた事を少なくする事で釣人たちへ、今までに無い釣りへの期待と醍醐味を提供する事を課題とした発明です。
【課題を解決するための手段】
【０００５】本発明は近年研究が盛んな形状記憶合金を活用し、この形状記憶合金を釣り竿の先端部分へ塗混ぜたり又は埋込む事で竿の強度が増し、その結果として竿に余計な負担が掛かりにくく、竿が本来の役割を専念する事が可能と成ります。又、竿の中心が中空の場合、竿の中へ釣り糸を入れ込む事が可能ですが、この場合も釣り糸が中空の内側へ施した形状記憶合金により、潤滑剤の役割を果たしてくれる為に糸と形状記憶合金との間の摩擦が軽減され、釣り糸に無理な力が掛かかりにくくする手段です。
【発明の効果】
【０００６】本発明の効果として、従来の釣り竿では先端部が魚の動きで踊り（ゆれ）が大きく、竿の操りが大変でした。本発明の工夫により、従来に無かった竿の安定性かつ竿に伝わって来る振動（魚信）が極めて安定しています。網を使って魚を捕る行為も従来と比較して速やかに捕獲位置の割り出しが可能と成りました。又、竿の中心が中空の場合は釣り糸の滑り心地はとても快適と成りました。その効果は従来より大幅に向上する事が出来ました。
【発明を実施するための最良の形態】
【０００７】カーボンロッドの太さを現状のままで、図１の側面２に表す方法で竿の強度は１．６倍から２．８倍ほどの荷重に対応が可能です。又、従来の耐荷重を維持するのに、カーボンロッドの太さを約３５％ほど形状を細くする事も可能です。
【実施例１】
【０００８】本発明の実施例１として、釣り堀池のヘラブナや鯉の釣り竿をテーマとします。この釣り堀池では、釣り人の座席と池の水面の距離が大変に身近です。このような条件では、本発明の竿の揺れ具合は網をすくう作業に大きく影響をもたらします。本発明はこのような環境で適用される事が最も効果的です。
【産業上の利用可能性】
【０００９】本発明の活用性として、海上のかつお一本釣り。
屋内屋外の釣り堀池。  河川の鮎釣り。  海岸の一本竿の磯釣り。
又、その他として鉄道の踏み切りの遮断機の棒先へ用いたり、ノンボリ竿や物干し竿や無線通信機のアンテナなどに採用することも考えられます。
【図面の簡単な説明】
【００１０】
【図１】  本発明の側面１、カーボンロッド釣り竿の先端部へ形状記憶合金を入れた図  本発明の側面２、むくのカーボンロッド釣り竿の先端部へ形状記憶合金を入れた図  本発明の側面３、中空のカーボンロッド釣り竿の先端部へ形状記憶合金を入れた図
【符号の説明】
【図１】
１−カーボンロッド釣り竿の先端部
２−むくのカーボンロッド竿の中へ入れた形状記憶合金
３−中空のカーボンロッド竿の中へ入れた形状記憶合金
４−むくのカーボンロッド竿の中へ入れた形状記憶合金
【図２】
５−棒状の形状記憶合金６−折曲状の形状記憶合金
【図１】
2006042762.tif 000003
【図２】
2006042762.tif 000004
【手続補正書】
【提出日】平成17年6月3日(2005.6.3)
【手続補正１】
【補正対象書類名】明細書
【補正対象項目名】００１０
【補正方法】変更
【補正の内容】
【００１０】
【図１】  本発明の側面１  カーボンロッド釣り竿の先端部へ形状記憶合金を入れた図  本発明の側面２  むくのカーボンロッド釣り竿の先端部へ形状記憶合金を入れた図  本発明の側面３  中空のカーボンロッド釣り竿の先端部へ形状記憶合金を入れた図
【図２】  棒状の形状記憶合金の図  折曲状の形状記憶合金の図
【符号の説明】
【図１】
１−カーボンロッド釣り竿の先端部
２−むくのカーボンロッド竿の中へ入れた形状記憶合金
３−中空のカーボンロッド竿の中へ入れた形状記憶合金
４−むくのカーボンロッド竿の中へ入れた形状記憶合金
【図２】
５−棒状の形状記憶合金
６−折曲状の形状記憶合金